(57)【要約】      （修正有）【課題】エレベータの既設の制御盤を新規の制御盤に更新するエレベータのニューアル工事の簡素化を図る。【解決手段】機械室２の床３における配線ダクト１１内に収納され信号ケーブル１３における既設の制御盤に対する接続を切離し、機械室の床に埋設された既設の取付台１０上に固定されている既設の制御盤を既設の取付台１０から取外し、取外された後の既設の取付台上に、下面の外形が既設の取付台の上面の外形に等しく、かつ下面から上面に貫通する信号ケーブル用の貫通窓１９が形成された平板型中間取付台１５を固定する。平板型中間取付台１５の上面１７に、下面の外形が中間取付台の上面の外形内に含まれる形状を有した新規の制御盤１４を取付ける。最後に、信号ケーブル１３の一端を、新規の制御盤１４に接続する。【選択図】図１
2006264840.tif 000002
【特許請求の範囲】
【請求項１】
エレベータの昇降路の上側に設けられた機械室に前記昇降路内のかごを昇降する駆動機構と共に設けられている既設の制御盤を新規の制御盤に更新するエレベータ制御盤リニューアル方法において、
前記機械室の床における前記駆動機構と前記既設の制御盤との間に設けられた配線ダクト内に収納され前記駆動機構と前記制御盤とを接続する信号ケーブルにおける前記既設の制御盤に対する接続を切離す工程と、
前記機械室の床に埋設された既設の取付台上に固定されている前記既設の制御盤をこの既設の取付台から取外す工程と、
前記既設の制御盤が取外された後の既設の取付台上に、下面の外形が前記既設の取付台の上面の外形に等しく、かつ下面から上面に貫通する信号ケーブル用の貫通窓が形成された中間取付台を固定する工程と、
前記既設の取付台上に固定された中間取付台の上面に、下面の外形が前記中間取付台の上面の外形内に含まれる形状を有した新規の制御盤を取付ける工程と、
前記既設の制御盤から切離された前記信号ケーブルの一端を、前記既設の取付台及び前記中間取付台の貫通窓を貫通させて前記新規の制御盤に接続する工程と
を備えたことを特徴とするエレベータ制御盤リニューアル方法。
【請求項２】
前記中間取付台は平板で構成された平板型中間取付台であること特徴とする請求項１記載のエレベータ制御盤リニューアル方法。
【請求項３】
前記中間取付台は箱型に構成された箱型中間取付台であること特徴とする請求項１記載のエレベータ制御盤リニューアル方法。
【発明の詳細な説明】
【技術分野】
【０００１】
本発明はエレベータの制御盤を既設の制御盤から新規の制御盤に更新するエレベータ制御盤リニューアル方法に関する。
【背景技術】
【０００２】
エレベータがビル等に設置されてから数十年経過すると、エレベータの制御方式が旧式化して、エレベータの利用客に対するサービス低下が目立つようになる。このような場合、エレベータを構成するかごやこのかごを昇降路内で昇降する駆動機構の改修・交換よりも、駆動機構の動作を制御する制御部が組込まれた制御盤を新規の制御盤に更新（リニューアル）する方がより効果的であることがある。
【０００３】
以下、エレベータの制御盤を既設の制御盤から新規の制御盤に更新する手順を図７に示すエレベータの概略構成図を用いて説明する。
【０００４】
エレベータの昇降路１の上側に設けられた機械室２のコンクリート製の床３上に、昇降路１内のかご４及び釣合重り５を昇降する、巻上げ機６と電動機７とからなる駆動機構８とが設けられている。また、この駆動機構８の動作を制御する制御部が組込まれた制御盤９とが配設されている。この制御盤９はコンクリート製の床３に埋設された取付台（プールボックス）１０の上面に例えばボルト等にて固定されている。なお、この取付台１０は例えば上端開口を有する箱型に形成されており、制御盤９はこの取付台１０の開口近傍の端面にボルトで固定されている。
【０００５】
機械室２のコンクリート製の床３における駆動機構８と制御盤９との間には配線ダクト１１が形成されており、この配線ダクト１１の上面はダクトカバー１２で覆われている。この配線ダクト１１内には、制御盤９と駆動機構８、及び制御盤９とかご４とを接続する信号ケーブル１３が敷設されている。この信号ケーブル１３は配線ダクト１１内及び取付台１０内を経由して、制御盤９の下面からこの制御盤９内に配線されて、制御盤９内に設けられた信号端子に接続されている。
【０００６】
このように構成されたエレベータにおける既設の制御盤９を新規の制御盤に更新（リニューアル）する場合においては、一般的に、最新の電子部品を搭載した新規の制御盤は既設の制御盤９に比較して、小型に形成されているので、コンクリート製の床３に埋設された既設の取付台１０を新規の制御盤の取付台としてそのまま採用できない。
【０００７】
したがって、
（１）既設の制御盤９から信号ケーブル１３を取外し、
（２）既設の制御盤９を既設の取付台１０から取外し、
（３）既設の取付台１０をコンクリート製の床３から取外し、
（４）新規の取付台をコンクリート製の床３に取付け、
（５）新規の制御盤を新規の取付台に取付け、
（６）新規の制御盤に信号ケーブル１３を接続する
のように、６段階の作業を実施する必要があった。
【０００８】
また、新規の制御盤の大きさによっては、コンクリート製の床３に形成された既設の配線ダクト１１を延長又は作り直す必要がある。
【０００９】
特許文献１においては、既設の制御盤をこの既設の制御盤より大きい新規の制御盤に更新する場合、既設のプールボックス（取付台）の上面に、この既設のプールボックスの上面より大きい形状を有した間座を取付け、この間座の上面に新規の制御盤を取付ける技術が報告されている。なお、間座における既設のプールボックスの端部より突出する部分と床との間に支持体を介在させている。
【特許文献１】実公平５―８３０５号公報
【発明の開示】
【発明が解決しようとする課題】
【００１０】
しかしながら、上述した６段階の作業を実施するリニューアル手法においては、既設の取付台１０をコンクリート製の床３から取外し、新規の取付台をコンクリート製の床３に取付ける作業に多大の時間、日数を必要とする。エレベータが長期間停止すると、利用者に対するサービスが大幅に低下する。また、場合によっては、コンクリート製の床３に形成された既設の配線ダクト１１を作り直す必要がある。
【００１１】
さらに、既設の取付台１０をコンクリート製の床３から取外す作業は、多大の騒音と振動を伴うので、このエレベータが設置された建屋やビルの居住者や勤務者に対して騒音・振動被害を与える。
【００１２】
また、特許文献１に記載された手法においては、既設のプールボックスの上面に、この既設のプールボックスの上面より大きい形状を有した間座を取付け、この間座の上面に新規の制御盤を取付けているので、リニューアルされたエレベータにおける新規の制御盤の安定性が十分確保されたとは言えない。
【００１３】
本発明はこのような事情に鑑みてなされたものであり、安価でかつ短時間で、さらに、このエレベータが設置された建屋やビルの居住者や勤務者に対して騒音・振動被害を与えることなく、利用者に対するサービスを低下することなく、既設の制御盤を新規の制御盤に更新できるエレベータ制御盤リニューアル方法を提供することを目的とする。
【課題を解決するための手段】
【００１４】
上記課題を解消するために、本発明は、エレベータの昇降路の上側に設けられた機械室に昇降路内のかごを昇降する駆動機構と共に設けられている既設の制御盤を新規の制御盤に更新するエレベータ制御盤リニューアル方法において、
機械室の床における駆動機構と既設の制御盤との間に設けられた配線ダクト内に収納され駆動機構と制御盤とを接続する信号ケーブルにおける既設の制御盤に対する接続を切離す工程と、機械室の床に埋設された既設の取付台上に固定されている既設の制御盤をこの既設の取付台から取外す工程と、既設の制御盤が取外された後の既設の取付台上に、下面の外形が既設の取付台の上面の外形に等しく、かつ下面から上面に貫通する信号ケーブル用の貫通窓が形成された中間取付台を固定する工程と、既設の取付台上に固定された中間取付台の上面に、下面の外形が中間取付台の上面の外形内に含まれる形状を有した新規の制御盤を取付ける工程と、既設の制御盤から切離された信号ケーブルの一端を、既設の取付台及び中間取付台の貫通窓を貫通させて新規の制御盤に接続する工程とを備えている。
【００１５】
このように構成されたエレベータ制御盤リニューアル方法においては、既設の制御盤が取外された後の既設の取付台上に中間取付台を固定し、この中間取付台の上面に新規の制御盤を固定している。したがって、機械室の床に埋設された既設の取付台を機械室の床から取外すことなくそのまま制御盤のリニューアル後においても使用されるので、安価でかつ短時間で、さらに、リニューアル工事期間中において、このエレベータが設置された建屋やビルの居住者や勤務者に対して騒音・振動被害を与えることはない。
【００１６】
さらに、中間取付台の下面の外形を既設の取付台の上面の外形に等しく、かつ、中間取付台の上面に、下面の外形が中間取付台の上面の外形内に含まれる形状を有した新規の制御盤を取付けているので、中間取付台に取付後の新規の制御盤の安定性が確保される。さらに、既設の配線ダクトもそのまま新規の制御盤の配線ダクトとして使用できる。
【００１７】
さらに別の発明は、上述した発明のエレベータ制御盤リニューアル方法における中間取付台を平板で構成された平板型中間取付台としている。
【００１８】
さらに別の発明は、上述した発明のエレベータ制御盤リニューアル方法における中間取付台を、箱型に構成された箱型中間取付台としている。
【発明の効果】
【００１９】
本発明においては、既設の制御盤が取外された後の既設の取付台上に中間取付台を固定し、この中間取付台の上面に新規の制御盤を固定している。さらに、この中間取付台の下面の外形を既設の取付台の上面の外形に等しく、新規の制御盤の下面の外形を中間取付台の上面の外形内に含まれる形状としている。
【００２０】
したがって、安価でかつ短時間で、さらに、リニューアル工事期間中において、このエレベータが設置された建屋やビルの居住者や勤務者に対して騒音・振動被害を与えることなく、利用者に対するサービスを低下することなく、既設の制御盤を新規の制御盤に更新できる。
【発明を実施するための最良の形態】
【００２１】
以下、本発明の各実施形態を図面を用いて説明する。
【００２２】
（第１実施形態）
図１は本発明の第１実施形態に係わるエレベータ制御盤リニューアル方法を用いて、図７に示したエレベータに組込まれた既設の制御盤９を新規の制御盤１４に更新した後のエレベータの概略構成を示す図である。図７に示したリニューアル前のエレベータと同一部分には、同一符号を付して、重複する部分の詳細説明は省略する。
【００２３】
図７に示したエレベータに組込まれた既設の制御盤９を図１に示した新規の制御盤１４に更新（リニューアル）する手順を順番に説明していく。
【００２４】
（ａ）平板型中間取付台の製造
リニューアル工事開始以前に、既設の取付台１０と新規の制御盤１４との間に介在させる平板型中間取付台１５を製造する。この平板型中間取付台１５は、図１の断面図及び図２の斜視図に示すように、金属平板で形成されている。そして、この平板型中間取付台１５の下面１６外形は既設の取付台１０の上面の外形に等しく、かつ中央部に下面１６から上面１７に貫通する信号ケーブル１３用の貫通窓１９が形成されている。平板型中間取付台１５の周辺部には、この平板型中間取付台１５をボルトで既設の取付台１０の周辺部に固定するための複数のボルト穴１８ａが穿設されている。さらに、この平板型中間取付台１５には、この平板型中間取付台１５の上面１７に新規の制御盤１４をボルトで固定するための複数のボルト穴１８ｂが穿設されている。
【００２５】
なお、新規の制御盤１４は既設の制御盤９に比較して小型に形成されており、新規の制御盤１４の下面の外形は、既設の制御盤９の下面の外形内に含まれる。
【００２６】
（ｂ）信号ケーブルの切離し
機械室２のコンクリート製の床３における駆動機構８と既設の制御盤９との間に設けられた配線ダクト１１内に収納された制御盤９と駆動機構８との間及び制御盤９と昇降路１内のかご４との間を接続する信号ケーブル１３における既設の制御盤９に対する接続を切離す。具体的には、制御盤９内の各信号端子から信号ケーブル１３の各信号線を取外す。
【００２７】
（ｃ）既設の制御盤の撤去
機械室２のコンクリート製の床３に埋設された既設の取付台１０上にボルトで固定されている既設の制御盤９を、ボルトを外してこの既設の取付台１０から撤去する。
【００２８】
（ｄ）平板型中間取付台の取付
既設の制御盤９が取外された後の既設の取付台１０上に、予め作成しておいた図２に示すに貫通窓１９が形成された平板型中間取付台１５を固定する。具体的には、ボルト穴１８ａを利用してボルトで既設の取付台１０の周辺部に固定する。
【００２９】
（ｅ）新規の制御盤を取付
既設の取付台１０上に固定された平板型中間取付台１５の上面１７に、下面の外形が平板型中間取付台１５の上面１７の外形内に含まれる形状を有した新規の制御盤１４を取付ける。具体的には、ボルト穴１８ｂを利用してボルトで平板型中間取付台１５の中央部に固定する。
【００３０】
（ｆ）信号ケーブルの接続
既設の制御盤９から切離された配線ダクト１１内に収納された信号ケーブル１３の一端を、既設の取付台１０内及び平板型中間取付台１５の貫通窓１９を貫通させて新規の制御盤１４内の信号端子に接続する。
【００３１】
このように構成された第１実施形態のエレベータ制御盤リニューアル方法においては、既設の制御盤９が取外された後の既設の取付台１０上に平板型中間取付台１５を固定し、この平板型中間取付台１５の上面に新規の制御盤１４を固定している。さらに、新規の制御盤１４を既設の制御盤９に比較して小型に形成しており、新規の制御盤１４の下面の外形は、既設の制御盤９の下面の外形内に含まれる。
【００３２】
このように平板型中間取付台１５を採用することによって、既設の取付台１０を床３から取外すことなく新規の制御盤１４へのリニューアル工事が実施できるので、リニューアル工事期間中において、このエレベータが設置された建屋やビルの居住者や勤務者に対して騒音・振動被害を与えることはない。また、平板型中間取付台１５に取付後の新規の制御盤１４の安定性が確保される。
【００３３】
（第２実施形態）
図３は本発明の第２実施形態に係わるエレベータ制御盤リニューアル方法を用いて、図７に示したエレベータに組込まれた既設の制御盤９を新規の制御盤１４に更新した後のエレベータの概略構成を示す図である。図１に示した第１実施形態の制御盤リニューアル方法が実施された後のエレベータと同一部分には、同一符号を付して、重複する部分の詳細説明は省略する。
【００３４】
この第２実施形態に係わるエレベータ制御盤リニューアル方法においては、第１実施形態の制御盤リニューアル方法で採用した平板型中間取付台１５の代りに箱型中間取付台２０を採用している。
【００３５】
この箱型中間取付台２０は、図３の断面図及び図４の斜視図に示すように、下端開口を有する金属製箱で形成されている。この箱型中間取付台２０の下端開口２２の外形は、第１実施形態の平板型中間取付台１５の下面１６の外形に等しい。また、この箱型中間取付台２０の上面２１の中央部に信号ケーブル１３用の貫通窓１９が形成されている。
【００３６】
箱型中間取付台２０の周辺部には、この箱型中間取付台２０をボルトで既設の取付台１０の周辺部に固定するための複数のボルト穴１８ａが穿設されている。さらに、この箱型中間取付台２０には、この箱型中間取付台２０の上面２１に新規の制御盤１４をボルトで固定するための複数のボルト穴１８ｂが穿設されている。
【００３７】
なお、この箱型中間取付台２０の高さＨは、新規の制御盤１４の高さに応じて適宜設定される。
【００３８】
このような箱型中間取付台２０を採用して、図７に示したエレベータに組込まれた既設の制御盤９を図３に示した新規の制御盤１４に更新（リニューアル）する手順は、先に説明した、平板型中間取付台１５を採用した第１実施形態のエレベータ制御盤リニューアル方法とほぼ同じであるので説明を省略する。
【００３９】
このように構成された第２実施形態のエレベータ制御盤リニューアル方法においても、先に説明した第１実施形態のエレベータ制御盤リニューアル方法とほぼ同様の作用効果を奏することが可能である。
【００４０】
さらに、箱型中間取付台２０に取付後の新規の制御盤１４の安定性がより確保されることとなる。
【００４１】
（第３実施形態）
図５は本発明の第３実施形態に係わるエレベータ制御盤リニューアル方法を用いて、図７に示したエレベータに組込まれた既設の制御盤９を新規の主制御盤１４ａと新規の補助制御盤１４ｂとの２台の制御盤に更新した後のエレベータの概略構成を示す図である。図３に示した第２実施形態の制御盤リニューアル方法が実施された後のエレベータと同一部分には、同一符号を付して、重複する部分の詳細説明は省略する。
【００４２】
この第３実施形態に係わるエレベータ制御盤リニューアル方法においては、第２実施形態の制御盤リニューアル方法で採用した箱型中間取付台２０の代わりに、上面２１における新規の主制御盤１４ａと新規の補助制御盤１４ｂのそれぞれの取付位置に対応する部分に各貫通窓１９ａ、１９ｂが形成された箱型中間取付台２０ａが採用されている。
【００４３】
このような箱型中間取付台２０ａを採用して、図７に示したエレベータに組込まれた既設の制御盤９を図５に示した新規の主制御盤１４ａと新規の補助制御盤１４ｂとの２台の制御盤に更新（リニューアル）する手順は、先に説明した、平板型中間取付台１５を採用した第１実施形態のエレベータ制御盤リニューアル方法とほぼ同じであるので説明を省略する。
【００４４】
ただし、最後の通信ケーブル１３の接続において、既設の制御盤９から切離された配線ダクト１１内に収納された信号ケーブル１３の一端を、既設の取付台１０及び箱型中間取付台２０ａの一方の貫通窓１９ａを貫通させて新規の主制御盤１４ａ内の信号端子に接続する。さらに、主制御盤１４ａ内の信号端子に別の信号ケーブル１３ａの一端を接続して、この別の信号ケーブル１３ａの他端を、箱型中間取付台２０ａの内部、他方の貫通窓１９ｂを経由させて、補助制御盤１４ｂ内の信号端子に接続する。
【００４５】
このように構成された第３実施形態のエレベータ制御盤リニューアル方法においても、先に説明した第１実施形態のエレベータ制御盤リニューアル方法とほぼ同様の作用効果を奏することが可能である。
【００４６】
さらに、この第３実施形態においては、箱型中間取付台２０ａ内に、新規の主制御盤１４ａと新規の補助制御盤１４ｂとを接続する信号ケーブル１３ａを敷設することが可能であるので、新規の主制御盤１４ａと新規の補助制御盤１４ｂと間の床３に別途配線ダクトを設ける必要はない。
【００４７】
（第４実施形態）
図６は本発明の第４実施形態に係わるエレベータ制御盤リニューアル方法を用いて、図７に示したエレベータに組込まれた既設の制御盤９を新規の主制御盤１４ａと新規の補助制御盤１４ｂとの２台の制御盤に更新した後のエレベータの概略構成を示す図である。図５に示した第３実施形態の制御盤リニューアル方法が実施された後のエレベータと同一部分には、同一符号を付して、重複する部分の詳細説明は省略する。
【００４８】
この第４実施形態に係わるエレベータ制御盤リニューアル方法においては、図７に示したエレベータにおける床３内に形成されている配線ダクト１１が何らかな理由にてリニューアル後に使用できなくなり、新規の主制御盤１４ａと駆動機構８との間の床３上に別途、配線ダクト１１ａを形成し、この配線ダクト１１ａ内に、信号ケーブル１３を敷設している。
【００４９】
このように構成された第４実施形態のエレベータ制御盤リニューアル方法においても、先に説明した第１実施形態のエレベータ制御盤リニューアル方法とほぼ同様の作用効果を奏することが可能である。
【００５０】
さらに、この第４実施形態においては、床３上に高さＨの中空の箱型中間取付台２０ａが存在するので、この箱型中間取付台２０ａの側壁から信号ケーブル１３を取出すことができる。したがって、この信号ケーブル１３を新規の主制御盤１４ａの下面から床３上に形成された配線ダクト１１ａへ導く配管を別途床３内に形成する必要がない。
【図面の簡単な説明】
【００５１】
【図１】本発明の第１実施形態に係わるエレベータ制御盤リニューアル方法を用いて、エレベータに組込まれた既設の制御盤を新規の制御盤に更新した後のエレベータの概略構成を示す図
【図２】同第１実施形態のエレベータ制御盤リニューアル方法で採用された平板型中間取付台の斜視図
【図３】本発明の第２実施形態に係わるエレベータ制御盤リニューアル方法を用いて、エレベータに組込まれた既設の制御盤を新規の制御盤に更新した後のエレベータの概略構成を示す図
【図４】同第２実施形態のエレベータ制御盤リニューアル方法で採用された箱型中間取付台の斜視図
【図５】本発明の第３実施形態に係わるエレベータ制御盤リニューアル方法を用いて、エレベータに組込まれた既設の制御盤を新規の制御盤に更新した後のエレベータの概略構成を示す図
【図６】本発明の第４実施形態に係わるエレベータ制御盤リニューアル方法を用いて、エレベータに組込まれた既設の制御盤を新規の制御盤に更新した後のエレベータの概略構成を示す図
【図７】リニューアル前のエレベータの概略構成を示す図
【符号の説明】
【００５２】
１…昇降路、２…機械室、３…床、４…かご、５…釣合重り、６…巻上げ機、７…電動機、８…駆動機構、９…既設の制御盤、１０…既設の取付台、１１，１１ａ…配線ダクト、１２…ダクトカバー、１３，１３ａ…信号ケーブル、１４…新規の制御盤、１４ａ…主制御盤、１４ｂ…補助制御盤、１５…平板型中間取付台、１６…下面、１７，２１…上面、１８ａ，１８ｂ…ボルト穴、１９，１９ａ，１９ｂ…貫通孔、２０，２０ｂ…箱型中間取付台、２２…下端開口
【図１】
2006264840.tif 000003
【図２】
2006264840.tif 000004
【図３】
2006264840.tif 000005
【図４】
2006264840.tif 000006
【図５】
2006264840.tif 000007
【図６】
2006264840.tif 000008
【図７】
2006264840.tif 000009